(57)【要約】【課題】  シロアリが蟻道を作ろうとして防蟻バリアのガラス細片を取り除いても、その細片周囲のガラス細片が崩れ落ちて透き間が塞がってしまう高流動性の無アルカリガラス粒材を用いた建築物床下のシロアリ防除方法を提供すること。  【手段】尖角形状に破砕された無アルカリガラス細片から成る高流動性ガラス粒材を、建築物床下に堆積させて防蟻バリアを形成するという手段を採用することにより、防護バリアを穿孔して建築物の木質部に接近しようとしたとき穿孔孔を直ちに崩壊させてシロアリを負傷させ蟻道構築を阻害して建築物床下のシロアリを防除排撃するようにした。【選択図】  図１
2007132167.tif 000002
【特許請求の範囲】
【請求項１】
尖角形状に破砕された無アリカリガラス細片から成る高流動性ガラス粒材を、建築物
床下に堆積させて防蟻バリアを形成することにより、シロアリを負傷させ蟻道構築を阻害することを特徴とする建築物床下のシロアリ防除方法。
【請求項２】
布基礎に囲われる建築物床下の地面全面にわたり、高流動性ガラス粒材を所要層厚に堆積させて層状の防蟻バリアを形成することによって、シロアリを負傷させ蟻道構築を阻害することを特徴とする建築物床下のシロアリ防除方法。
【請求項３】
尖角形状の細片に破砕された光触媒性の酸化チタンを含む無アリカリガラス細片から成る高流動性ガラス粒材を、建築物床下に堆積させて防蟻バリアを形成することを特徴とする請求項１又は２に記載の建築物床下のシロアリ防除方法。
【請求項４】
建築物床下のシロアリの這い上がる惧れのある布基礎の側辺、束石の周囲に沿わせて、高流動性ガラス粒材にて堤状の防蟻バリアを形成することを特徴とする請求項１〜３の何れか一つに記載の建築物床下のシロアリ防除方法。
【請求項５】
堤状の防蟻バリアが、幅２０〜３０cm、高さ３〜５cmに堆積された無アルカリガラス尖角細片片カラ成る高流動性ガラス粒材であることを特徴とする請求項４記載の建築物床下のシロアリ防除方法。
【請求項６】
層状に形成した防蟻バリアの上にモルタル、アスファルト等から成る舗装被覆層を敷設することを特徴とする請求項２記載の建築物床下のシロアリ防除方法。
【請求項７】
高流動性ガラス粒材が、1.18〜3.35mm程度のガラス尖角細片を使用することを特徴とする請求項１〜６の何れか一つに記載の建築物床下のシロアリ防除方法。
【請求項８】
高流動性ガラス粒材として、液晶用ガラスセルを破砕した細片を使用することを特徴とする請求項１〜７の何れか一つに記載の建物床下のシロアリ防除方法。
【請求項９】
無アルカリガラス片から成る高流動性ガラス粒材として、比重が2.77以上の無アルカリガラス尖角細片を使用することを特徴とする請求項１〜８の何れか一つに記載の建物床下のシロアリ防除方法。
【発明の詳細な説明】
【技術分野】
【０００１】
本発明は、建築物床下のシロアリ防除方法の改良に関し、無アルカリガラス尖角細片の堆積層が呈する高流動性で難穿孔質の物性とシロアリの負傷忌避本能とを巧みに利用して殺虫薬剤を全く必要とせずに建築物床下のシロアリの侵入を確実に防除して建築物の木造部位をシロアリ食害から効果的に保護することができる建築物の画期的なシロアリ対策技術に関するものである。
【背景技術】
【０００２】
床下に角張ったガラス片を堆積させて、この堆積層を防蟻バリアとしてシロアリの侵入を防ぐ「建築物床下のシロアリ防除構造」については、既に本件発明者が実用化の研究を進めており（特許文献１＝以下、特許文献１に記載された出願発明を本件発明者の「先駆発明」と称する）、特許文献１に示す「建築物床下のシロアリ防除構造」は、その研究の一環をなすものである。
【０００３】
この先の研究は、建築物の床下にシャープな角縁を有する尖角形状のガラス細片を所要の厚さに堆積させて防蟻バリアを形成しようとするものであるが、しかし、この先の特許文献１記載のシロアリ防除構造に用いるガラス片を使用する場合であっても、同文献の段落
[００２２]の(1)にも２１日間に１０mmほど進行したという実験結果を発表しているとおり、長期間の間に堆積層をなすガラス片の中をシロアリが僅かながらも進行して蟻道を作り得ることが分かっていたため、少量の殺虫剤を使用することが余儀なくされた。
【特許文献１】特開２００４−３６０２９４号公報〈段落[００３８]および[００３９]の(1)〉
【０００４】
もともと、上記先駆発明は、虫体が軟弱で外傷を受け易く、負傷忌避本能の強いシロアリの生態学的特徴に着目して為されたものであり、殺虫剤成分を併用しなければ、長期間の裡にはガラス片の堆積層でもシロアリはトンネルを掘って蟻道を形成する事実は了知していた。
【０００５】
しかし、最近、化学物質の使用によるシックハウス症候群が社会問題として取り上げられるようになって以来、人体に影響を与える可能性が少しでもある殺虫剤などの化学物質の家屋への使用が極力制限されるようになってきたのであり、本発明者が提案した先駆発明も、僅かながらも殺虫剤成分を使用することゝしていたので、シックハウス症候群対策を重視する最近の建築業界の要請を完全に満足させることはできなかったのである。
【０００６】
ところで、本発明者の提案した先駆発明において使用する尖角形状のガラス片の堆積層にシロアリが長期間の間に蟻道を形成できるのか、という問題について本発明者が研究したところ、通常のガラス薄片は薄片相互の摩擦係数が比較的に高いためにシロアリが細片の一つを取り除くと、細片が取り除かれた堆積層部分に細片１ヶ分の透き間ができるのであり、その透き間の周りにシロアリが蟻土を塗り付けてゆくと、段々に、シロアリの通り抜け可能な蟻道が出来上がってゆくことが判明した。
【０００７】
そこで、本発明者は、シロアリが堆積層をなすガラス細片の一つが取り除かれたとしても、直ぐに透き間部分が崩れて埋まってしまうような高流動性のガラス粒子を試行錯誤的な実験を繰り返して求めていたところ、アルカリ成分を含まない無アルカリガラスを破砕して得たガラス粒子はスベリ角(angle of slide＝「安息角」とも言われる)が低くて非常に流動性が高く、孔崩れが起こり易いことを見い出し、このような無アルカリガラスを尖角形状に破砕したガラス粒材を堆積させて防蟻バリヤを形成すると、防蟻成分が不要になると確信して本発明に到達した。
【発明の開示】
【発明が解決しようとする課題】
【０００８】
しかして、本発明は、上記特許文献１に提案した先駆発明の同じ尖角ガラス細片を利用する路線を踏襲しつつも、通常のガラス細片では殺虫薬剤を使用しないとシロアリが穿孔して蟻道構築が防ぐことができなかったことに鑑みて為されたものであって、シロアリが蟻道を作ろうとして防蟻バリアのガラス細片を取り除いても、その細片周囲のガラス細片が崩れ落ちて透き間が塞がってしまう高流動性の無アルカリガラス粒材を用いた建築物床下のシロアリ防除方法を提供することを目的とするものである。
【課題を解決するための手段】
【０００９】
本発明者が上記目的を達成するために採用した手段を添附図面を参照して説明すれば、次のとおりである。
【００１０】
まず基本的技術思想としては、本発明は、尖角形状に破砕された無アルカリガラス細片から成る高流動性ガラス粒材Ｃを、建築物床下に堆積させて防蟻バリアＢを形成すると
いう手段を採用することにより、其処から建築物の木質部に接近しようとするシロアリを負傷させ蟻道構築を阻害して建築物床下のシロアリを防除排撃せしめる点に最大の特徴がある。
【００１１】
つぎに実施上の具体的技術思想としては、本発明は布基礎Ｆに囲われる建築物床下Ｓの地面全面にわたり、高流動性ガラス粒材Ｃを所要層厚に堆積させて層状の防蟻バリアＢを形成するという手段、あるいは当該建築物床下Ｓのシロアリが這い上がりそうな布基礎Ｆの内側辺や、束石Psの周囲に沿わせて堤状の防蟻バリアＢを形成するという手段を採用することにより、其処から当該建築物の木質部に接近しようとするシロアリを負傷させ蟻道構築を阻害して建築物床下のシロアリを防除排撃しようとする点に特徴がある。
【００１２】
そこで、本発明の方法において採用する技術手段について、注釈しておくならば、次のとおりである
(1)  本発明において高流動性ガラス粒材Ｃの素材としては、無アルカリガラス（比重＝
2.77以上）を尖った角のある状態に破砕して得た尖角形状の細片を用いるものとする。無アリカリガラスとしては、液晶用ガラスが知られており、細片のサイズとしては、最大径サイズが 1.18〜3.35 mm 程度に破砕したもので、全体として、スベリ角(安息角)３０°以下のものが適当であることが本発明者の実験によって確かめられている。スベリ角が３０°以上であると、堆積した細片の幾つかが除去されたとき、除去された部分の透き間が崩壊せずに孔ができ、シロアリが蟻土を運んできて蟻道を築成する惧れがあるからである。
また、無アルカリガラスとして酸化チタンを含む光触媒無アルカリガラス(例えば、特開2001−46882号公報参照)を使用する場合には、床下に紫外線ランプを点灯させておくことにより、一層の防蟻効果を得ることができる。
(2)  また、高流動性ガラス粒材Ｃを布基礎Ｆの内側辺や、束石Psの周囲に沿わせて堤状の防蟻バリアを形成する場合には、当該粒材Ｃのスベリ角を考慮して、幅２０〜
３０cm、高さ３〜５cmに斜辺の傾斜角を３０°ほどに堆積させるのがよい。また、高流動性粒材Ｃを建築物床下の地面全面に層状に堆積させて層状の防蟻バリアＢを
形成する場合には、層厚は５cmほどが適当である。層厚は厚ければ厚いほどシロアリ防除効果は高くなるが、それに伴ってコストが高くなるからである。
(3)  層状に形成した防蟻バリアの上にモルタル、アスファルト等から成る舗装被覆層を敷設しておくと、床下の工事に作業者が入る場合に安全である。
【発明の効果】
【００１３】
本発明による建築物床下のシロアリ防除方法にあっては、尖角形状に破砕された無アルカリガラス細片から成る高流動性ガラス粒材Ｃを、建築物床下に堆積させて防蟻バリアＢを形成するというバリア形成手段を採用したので、床下に棲息するシロアリが前記高流動性ガラス粒材Ｃによって形成された防蟻バリアＢを穿孔しようとしても尖った無アルカリガラス細片の角に虫体が接触して負傷して忌避本能が喚起されるし、もし、一つ二つのガラス細片を取り除いたとしても、スベリ角が小さくて崩れ易い当該高流動性ガラス粒材からなる防蟻バリアの透き間は直ぐに崩壊して塞がってしまうので、シロアリには穿孔することができない。
したがって、先駆発明のように補充的に殺虫剤を使用せずとも、充分の防蟻効果を上げることができ、居住者がシックハウス症候群を併発する心配もないのである。
【００１４】
また、本発明の方法において、布基礎Ｆに囲われる建築物床下Ｓの地面全面にわたり、高流動性ガラス粒材Ｃを所要層厚に堆積させて層状の防蟻バリアＢを形成するという手段を採用する場合には、床下に高流動性ガラス粒材Ｃを一定の層厚に敷設するだけで完成することができるので、工期は然程に要せず、迅速にシロアリ防除施工をの施工を完了することができる。
他方また、当該建築物床下Ｓのシロアリが這い上がりそうな布基礎Ｆの内側辺や、束石Psの周囲に沿わせて堤状の防蟻バリアＢを形成するという手段を採用して施工する場合には、高流動性粒材Ｃの使用量を大幅に節約できるので、工費を大幅に節約することが可能である。
【００１５】
そして、本発明方法において、高流動性ガラス粒材Ｃにより層状の防蟻バリアＢを形成する場合には、所望により当該層状の防蟻バリアＢの上に、更にモルタル、アスファルトなどの舗装被覆層Ｐを被覆すると、爾後に床下工事のために作業者が床下地面に入ったときの負傷を防止することができ、安全上有利である。この場合においても、舗装被覆層Ｐの下に堆積してある高流動性ガラス粒材Ｃの流動性に変化はないので、シロアリが穿孔
しようとしても、直ぐに孔は崩壊して塞がってしまうので、シロアリが建築物の木質部に侵入する惧れはない。
【００１６】
このように、本発明方法は、本発明者が先に提案した先駆発明よりも防蟻効果において格段に有利であり、しかも殺虫剤を使用しなくて済むので、健康衛生上も優れている。
【発明を実施するための最良の形態】
【００１７】
以下、本発明の好ましい実施の形態を、添附図面に例示する実施例に基いて、具体的に説明するものとする。
【実施例】
【００１８】
[実施例１]
図１は、本発明の実施例１である“建築物床下のシロアリ防除方法”を適用して施工した床下の状態を表わした説明図である。同図中、符号Ｂは防蟻バリア、符号Ｃは前記防蟻バリアを構成している尖角形状の無アルカリガラス細片高流動性ガラス粒材、符号Ｆは布基礎、符号Psは束石であり、前記布基礎Ｆの上には樹脂製パッキンＩを挟んで木製土台Ｗが敷設され、この土台Ｗの上に所要の間隔ごとに柱を立設して建築物Ｈの骨格が構築されている。また、前記束石Psの上にも前記土台Ｗの下と同様に樹脂製パッキンＩ挟んで床束Ｐを立設して、その上に大引きを横架し、この横架された大引きに直交状態の上に根太Fjを掛け渡すことにより床組される。なお、符号Ｌは土台Ｗに付設された根太掛けである。図１に示す建築物Ｈにおいて、土台Ｗ、床束Ｐ、大引きSe、根太Fj、および根太掛けＬには、何れも木材が使用されるので、シロアリに食害される可能性が高い。
【００１９】
実施例１のシロアリ防除方法においては、厚さ 0.6 ｍｍの液晶用ガラス（旭ガラス株式会社製＝AN635：化学組成<SiO256wt%、R２O３ 17 wt%、RO 27 wt%、R2O 0.1 wt%>比重2.77、スベリ角 ∠30°）の板を無アルカリガラスとして採用し、これを破砕して、得られた細片を平均20ｍｍのサイズに篩分けして尖角形状の高流動性ガラス粒材Ｃとして使用した。図１における床下地面Ｇの全面に付設された層状の防蟻バリアＢの層厚は５ｃｍである。ちなみに、本実施例においては、布基礎Ｆ外側の犬走りの部分にも前記高流動性ガラス粒材Ｃを堆積させて層状の防蟻バリアＢを形成するものとする。地中に潜み棲息するシロアリは、布基礎Ｆや束石Psを伝って建築物Ｈの木材を食するためには５ｃｍの高流動性ガラス粒材Ｃにて形成された防蟻バリアＢを穿孔して蟻道を築成しなければならない。ところが、本実施例の高流動性ガラス粒材Ｃにて形成された防蟻バリアＢは、スベリ角が30°の高流動性ガラス粒材Ｃが用いられているので、シロアリが蟻道を築成しようとして、防蟻バリアＢを穿孔しようと波状的にアタックしても尖角ガラス細片に接触すれば、忽ち、ガラス粒層が崩れて接触したシロアリの体は尖った細片で切れ裂けて負傷してしまい、やがて防蟻バリアＢを忌避することになるのである。かくして、地中に営巣するシロアリは繁殖できなくなって、衰亡して滅亡するか、他の場所に移動しなくてはならなくなるのである。
【００２０】
[実施例２]
図２は、本発明の実施例２である“建築物床下のシロアリ防除方法”を適用して施工した床下の状態を表わした説明図である。実施例２においても、建築物Ｈにおける構造は、実施例１と同じであり、かつ、尖角形状の高流動性ガラス粒材Ｃとしては実施例１と同材質で平均30ｍｍのサイズの細片を使用した。実施例２のシロアリ防除方法においては、布基礎Ｆの内側辺沿いに高流動性ガラス粒材Ｃを片流れの斜面を形成するごとく盛り上げて堤状の防蟻バリアＢを形成し、束石Psの周りにも片流れの斜面を成せる堤状の防蟻バリアＢを形成した。ちなみに、この片流れ堤状の防蟻バリアＢの斜面の勾配は、当該ガラス粒材のスベリ角が30°であることから、30°以上の急勾配には盛り上げ形成することはできなかった。
【００２１】
[実施例３]
図３は、本発明の実施例３である“建築物床下のシロアリ防除方法”を適用して施工した床下の状態を表わした説明図である。実施例３においても、建築物Ｈにおける構造は、実施例１と同じであり、かつ、尖角形状の高流動性ガラス粒材Ｃとしては実施例２と同一のものを使用した。実施例３のシロアリ防除方法にあっては、シロアリが這い上がる可能性のある束石Psの周りや、布基礎Ｆ内側の根際部分をレ形に堀り込んでレ形溝を形成し、このレ形溝に前記高流動性ガラス粒材Ｃを投入堆積させて埋入形式の防蟻バリアＢを形成した。
【００２２】
[実験例]
以下、本発明の作用効果を実証するために、図４に図示する如きＵ字型実験装置を使用してシロアリの挙動を観察することにした。このＵ字型実験装置は、左右に立筒形の観察瓶１・２を対向的に備え、この両観察瓶１・２の底部は連通管３により両瓶間を互いに移動可能に構成してある。そして、この実験装置における観察瓶１・２の底部と連通管３には無処理の土壌Ｍを充填する一方、前記一方（左側）の観察瓶１に詰められた土壌Ｍの上に尖角形状の無アルカリガラス細片から成る高流動性ガラス粒材Ｃ（旭ガラス株式会社製の液晶用ガラス板“AN 635”を平均サイズが各々１０ｍｍ、２０ｍｍ、３０ｍｍに破砕したもの）と、特許文献１記載の先駆発明において使用した厚さ0.4ｍｍの蛍光灯管（松下電器産業）を平均サイズが１０ｍｍ、２０ｍｍ、３０ｍｍに破砕したガラス細片Ｃ’と、普通ガラスの細片として旭硝子株式会社の板ガラス(厚さ＝５ｍｍ)を平均サイズ１０ｍｍ、２０ｍｍ、３０ｍｍに破砕した細片Ｃ”とを、各々積層状態に充填した９台の実験装置を準備した。ついで、これら各々の実験装置の各々の（右側の）観察瓶２にはイエシロアリＴの職蟻を５００頭と兵蟻を５０頭を投入した。しかるところ、次表に示す実験結果が得られた。
【００２３】
【表１】
2007132167.tif 000003
【００２４】
上記表１に示す実験データからみて、液晶用ガラスと先駆発明で使用した蛍光灯管ガラスの細片は普通ガラスと対比すると明らかに防蟻効果が異なっている。また、液晶用ガラスと蛍光灯管ガラスとの間にも注目すべき差異が見られる。即ち、液晶用ガラスの細片、つまり、高流動性ガラス粒材にあっては平均サイズを２０ｍｍにて充分なる防蟻効果を発揮しているのであって、平均サイズが実験に供した２０ｍｍ、３０ｍｍの液晶用ガラス細片から成る高流動性ガラス粒材はシロアリの穿孔活動に対して顕著な難穿孔性能を呈していることが分かる。液晶用ガラスを尖角形状に破砕したガラス粒材は、スベリ角度(安息角)
が低くてシロアリが高流動性ガラス粒材を穿孔しようとしてガラス細片の一つ二つを取り除いても、上に重なるガラス細片が崩れ落ちて透き間を塞ぎ、かつ、尖ったガラス細片の角がシロアリの虫体にも傷害を与えてシロアリの負傷忌避本能を刺戟することに成るからであろうと推測できる。
【産業上の利用可能性】
【００２５】
以上説明したとおり、本発明によれば、無アルカリガラスの尖角細片から成る高流動性ガラス粒材によって形成した防蟻バリアは、スベリ角(安息角)が低くて非常に流動性が高く、孔崩れが起こし易く、シロアリが穿孔しようとしても直ぐに孔が塞がって空隙を作って蟻土で固めて蟻道を築成することができず、また崩れ落ちる高流動性ガラス粒材を成す無アルカリガラス細片の先鋭な角縁はシロアリに負傷を負わせ易いので、負傷忌避本能を強く刺戟するので、殺虫成分を全く必要とせずに建築物床下のシロアリ防除に顕著な効果を発揮することができる。したがって、先に提案した先駆発明よりもシックハウス症候群対策としては万全であり、日本の温暖化傾向によって増々北上してゆくシロアリの家屋被害防止策として、その有効性に期待が持たれる。
【図面の簡単な説明】
【００２６】
【図１】図１は、本発明を具体的に適用した実施例１の“建築物床下のシロアリ防除方法”の概要を示した説明図である。
【図２】図２は、本発明を具体的に適用した実施例２の“建築物床下のシロアリ防除方法”の概要を示した説明図である。
【図３】図１は、本発明を具体的に適用した実施例３の“建築物床下のシロアリ防除方法”の概要を示した説明図である。
【図４】図４は、無アルカリガラス細片から成る高流動性ガラス粒材の防蟻性能を確認するための実験に用いたＵ字型実験装置の
【符号の説明】
【００２７】
１・２    観察瓶
３        連通管
Ｂ        防蟻バリア
Ｃ        高流動性ガラス粒材
Ｆ        布基礎
Ｈ        建築物
Ｉ        樹脂製パッキン
Fj        根太
Ｌ        根太掛け
Ｍ        土壌
Ps        束石
Ｓ        床下
Se        大引き
Ｗ        土台
【図１】
2007132167.tif 000004
【図２】
2007132167.tif 000005
【図３】
2007132167.tif 000006
【図４】
2007132167.tif 000007
【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
尖角形状に破砕された無アルカリガラス細片から成る高流動性ガラス粒材を、建築物
床下に堆積させて当該ガラス細片のスベリによる孔崩れの起こり易い防蟻バリアを形成することにより、このバリアに穿孔しようと侵入してきたシロアリを孔崩れする尖った
ガラス細片に接触させ負傷せしめて蟻道構築を阻害することを特徴とする建築物床下のシロアリ防除方法。
【請求項２】
布基礎に囲われる建築物床下の地面全面にわたり、尖角形状に破砕された無アリカリガラス細片から成る高流動性ガラス粒材を所要層厚に堆積させて、当該ガラス細片のスベリによる孔崩れの起こり易い層状の防蟻バリアを形成することにより、このバリアに穿孔
しようと侵入してきたシロアリを孔崩れする尖ったガラス細片に接触させ負傷せしめて蟻道構築を阻害することを特徴とする建築物床下のシロアリ防除方法。
【請求項３】
尖角形状の細片に破砕された光触媒性の酸化チタンを含む無アルカリガラス細片から成る高流動性ガラス粒材を、建築物床下に堆積させて防蟻バリアを形成することを特徴とする請求項１又は２に記載の建築物床下のシロアリ防除方法。
【請求項４】
建築物床下のシロアリの這い上がる惧れのある布基礎の側辺、束石の周囲に沿わせて、高流動性ガラス粒材にて堤状の防蟻バリアを形成することを特徴とする請求項１〜３の何れか一つに記載の建築物床下のシロアリ防除方法。
【請求項５】
堤状の防蟻バリアが、幅２０〜３０cm、高さ３〜５cmに堆積された無アルカリガラス尖角細片片から成る高流動性ガラス粒材であることを特徴とする請求項４記載の建築物床下のシロアリ防除方法。
【請求項６】
層状に形成した防蟻バリアの上にモルタル、アスファルト等から成る舗装被覆層を敷設することを特徴とする請求項２記載の建築物床下のシロアリ防除方法。
【請求項７】
高流動性ガラス粒材が、1.18〜3.35mm程度のガラス尖角細片を使用することを特徴とする請求項１〜６の何れか一つに記載の建築物床下のシロアリ防除方法。
【請求項８】
高流動性ガラス粒材として、液晶用ガラスセルを破砕した細片を使用することを特徴とする請求項１〜７の何れか一つに記載の建物床下のシロアリ防除方法。
【請求項９】
無アルカリガラス片から成る高流動性ガラス粒材として、比重が2.77以上の無アルカリガラス尖角細片を使用することを特徴とする請求項１〜８の何れか一つに記載の建物床下のシロアリ防除方法。
【手続補正２】
【補正対象書類名】明細書
【補正対象項目名】００１０
【補正方法】変更
【補正の内容】
【００１０】
まず基本的技術思想としては、本発明は、尖角形状に破砕された無アルカリガラス細片から成る高流動性ガラス粒材Ｃを、建築物床下に堆積させて当該ガラス細片のスベリによる孔崩れの起こり易い防蟻バリアＢを形成するという手段を採用することにより、このバリアに穿孔しようと侵入してきたシロアリを孔崩れする尖ったガラス細片に接触させ負傷せしめて建築物の木質部に接近しようとするシロアリを負傷させ蟻道構築を阻害して建築物床下のシロアリを防除排撃せしめる点に最大の特徴がある。
【手続補正３】
【補正対象書類名】明細書
【補正対象項目名】００１１
【補正方法】変更
【補正の内容】
【００１１】
つぎに実施上の具体的技術思想としては、本発明は布基礎Ｆに囲われる建築物床下Ｓの地面全面にわたり、尖角形状に破砕された無アリカリガラス細片から成る高流動性ガラス粒材Ｃを所要層厚に堆積させて、当該ガラス細片のスベリによる孔崩れの起こり易い層状の防蟻バリアＢを形成するという手段、あるいは当該建築物床下Ｓのシロアリが這い上がりそうな布基礎Ｆの内側辺や、束石Psの周囲に沿わせて当該ガラス細片のスベリによる孔崩れの起こり易い堤状の防蟻バリアＢを形成するという手段を採用することにより、このバリアに穿孔しようと侵入してきたシロアリを孔崩れする尖ったガラス細片に
接触させ負傷せしめて当該建築物の木質部に接近しようとするシロアリを負傷させ蟻道構築を阻害して建築物床下のシロアリを防除排撃しようとする点に特徴がある。